(57)【要約】      （修正有）【課題】導電端子と接続座とを安全で確実に結合できるコネクターの端子安定構造を提供する。【解決手段】絶縁本体１及び複数の導電端子２を備える。絶縁本体には接続座１１を備え、接続座には複数個の端子溝１２を備え、導電端子の接続口端に近い溝端壁には嵌め溝を設け、嵌め溝の上側には当て塊を構成する。導電端子の端部には固定片２３を備え、固定片には弧形部を有し、弧形部の一端は導電端子の端部に連接され、弧形部の一端には嵌め塊を有し、嵌め塊と導電端子とにより高さの段差を形成し、かつ固定片の幅は導電端子の幅より小さく、導電端子は端子溝に組み付けられ、固定片の嵌め塊は嵌め溝内に挿入される。【選択図】図１
0003133571.tif 000002
【実用新案登録請求の範囲】
【請求項１】
コネクターの端子安定構造であって、前記コネクターには絶縁本体及び複数個の導電端子が備えられ、前記絶縁本体には接続座が設けられ、接続座の選定面には複数個の端子溝が設けられ、前記導電端子の接続口端に接近する溝端壁には嵌め溝が設けられ、各嵌め溝の上側には当て塊が構成され、導電端子の端部には固定片が備えられ、固定片には弧形部が備えられ、弧形部の一端は導電端子の端部に連接され、かつ弧形部は一側面へ曲げられて他の一端には嵌め塊が構成され、嵌め塊と導電端子とにより高さの段差が形成され、かつ固定片の幅は導電端子の幅より小さいので幅の段差が形成され、導電端子は端子溝に組み付けられ、固定片の嵌め塊は嵌め溝内に挿入されることを特徴とするコネクターの端子安定構造。
【請求項２】
前記端子溝の底面には凹溝が設けられ、凹溝両側の頂縁には階段状の支持面が構成され、かつ凹溝は端子溝の接続口端に接近する溝端壁の中まで延伸され、前記嵌め溝及び当て塊が構成されることを特徴とする請求項１に記載のコネクターの端子安定構造。
【請求項３】
前記導電端子は接続段及び溶接段によって構成された針状の端子であり、接続段の端部には前記固定片が設けられ、固定片の弧形部の一端は接続段の端部に連結され、かつ弧形部は一側面へ曲げられて他の一端には嵌め塊が構成され、嵌め塊と接続段とにより高さの段差が形成され、かつ固定片の幅は接続段の幅より小さいため幅の段差が形成されることを特徴とする請求項１に記載のコネクターの端子安定構造。
【請求項４】
前記嵌め塊の前端面と両側辺の近隣個所とにはそれぞれ弧面案内角が構成され、かつ嵌め塊の前端面と両側面の近隣個所とにはそれぞれ斜面案内角が構成されることを特徴とする請求項１または請求項３に記載のコネクターの端子安定構造。
【請求項５】
絶縁本体の外部に組み付けられ、前記接続座の周囲が遮蔽される中空の殻体の遮蔽殻を備えることを特徴とする請求項１に記載のコネクターの端子安定構造。
【請求項６】
前記コネクターはＵＳＢ（Universal Serial Bus）インタフェース、またはＨＤＭＩ（High-Definition Multimedia Interface）に応用されることを特徴とする請求項１に記載のコネクターの端子安定構造。
【考案の詳細な説明】
【技術分野】
【０００１】
本考案はコネクターの端子安定構造の改善に関するものであり、特にＨＤＭＩまたはＵＳＢ等の伝送インタフェースに応用されるコネクターの構造改善の設計に関するものである。
【背景技術】
【０００２】
従来のＵＳＢコネクターまたはＨＤＭＩコネクターは、通常その絶縁性コネクター本体１０の連接端には接続座１０１が設けられ（図１２に示す）、接続座１０１の一面または二面には複数個の並列された端子溝１０２が設けられ、端子溝１０２はコネクター本体１０の底端まで貫き通る。これにより、各端子溝１０２の中には導電端子２０が植え込まれ、導電端子２０の接触端２０１の一部は端子溝１０２の上に露出され、溶接段はコネクター本体１０の底端に位置する。このように、別の互いに組み合わせられるコネクターが挿入接続されると、導電端子２０との接触を通じて電気的連結を形成することができる。
前記端子溝１０２及び導電端子２０の組み合せ構造は、接触端２０１を露出させて接続座１０１の表面より高くしているので、ケーブル（cable）端の別のコネクターが挿入されるとき、導電端子２０の接触端２０１に湾曲や変形が発生しやすく（図１３に示す）、または導電端子２０全体が押さえられて離脱し（一般に「ピンはずれ」と称す）、それによってコネクターの毀損へ導いてしまう。このことから分かるように、従来のコネクターの組み合せ構造の品質の安定性及び実用性を増やすためには、改善する必要がある。
【考案の開示】
【考案が解決しようとする課題】
【０００３】
本考案の主要な目的は、コネクターの絶縁本体の接続座及び導電端子の構造改善の設計により、導電端子が安全で確実に接続座と結合でき、導電端子が差し込み接続の過程において押さえられて湾曲変形または離脱（ピンはずれ）することを防止し、コネクターの損害を避け、更に品質の安定等の効果を達成するコネクターの端子安定構造改善を提供することにある。
前記目的により、本考案の実施内容は最少一つの絶縁本体及び複数個の導電端子から構成され、前記絶縁本体の外部には遮蔽殻が設けられ、そのうち、絶縁本体の選定側には最少一つの接続座が設けられ、接続座の一面または両面には排列された複数個の端子溝が設けられ、かつ各端子溝の接続口端に接近する溝端壁には嵌め溝が設けられ、嵌め溝の上側には当て塊が構成され、前記導電端子は接続段及び溶接段から構成され、特に接続段の端部には固定片が設けられる。これにより、導電端子を接続座の端子溝に植え込んで端部の固定片が接続口端に近い嵌め溝の中に嵌め込まれるようにし、かつ当て塊の押し付けを用いて固定片の反り上げを防止し、これにより導電端子の湾曲変形または離脱を防止する機能が達成され、コネクターの品質は更に安定し実用的になる。
【課題を解決するための手段】
【０００４】
コネクターの端子安定構造の改善であり、それはＨＤＭＩまたはＵＳＢの伝送インタフェースに応用されるコネクターであり、その主要は絶縁本体及び複数個の導電端子から構成され、前記絶縁本体の選定端には最少一つの接続座が設けられ、接続座の一面または両面には複数個の端子溝が設けられ、各端子溝の接続口端に接近する溝端壁には嵌め溝が設けられ、他に導電端子の接続段の端部には固定片が設けられており、これによって導電端子を接続座の端子溝に組み付ければ、固定片は嵌め溝の中に挿入され、導電端子が安定して組み付けられる機能が達成される。
【考案を実施するための最良の形態】
【０００５】
図に示すように、本実施例で行う「コネクターの端子安定構造の改善」は、絶縁本体１及び複数個の導電端子２から構成され、絶縁本体１の外部には遮蔽殻３が取り付けられてもよい。
絶縁本体１は矩形またはその他形状の台に構成され（図１及び図２に示す）、その接続口端に近い選定個所には最少一つの接続座１１が設けられ、接続座１１の一面または二面には排列された複数個の端子溝１２が設けられ（図４から図６に示す）、端子溝１２の底面中央には平行して凹溝１２１が設けられ、凹溝１２１両側の頂縁には次に述べる導電端子２の支持部となる階段状の支持面１２２が構成され、前記凹溝１２１は端子溝１２の接続口端に近い溝端壁まで延伸され端子溝１２の接続口端に近い溝端壁には嵌め溝１３が構成され、各嵌め溝１３の上側には当て塊１４が構成される。また各端子溝１２の別の一端は絶縁本体１の底部まで貫き通る（図１０に示す）。
【０００６】
導電端子２は、絶縁本体１中に接続媒介物として植え込まれ（図１及び図２に示す）、各導電端子２は接続段２１及び溶接段２２を備えて構成された針状の端子であり、接続段２１の端部２１１はプレス（press）によって固定片２３に折り曲げられ（図８及び図９に示す）、前記固定片２３の構造には弧形部２３１を含み、弧形部２３１の一端は接続段２１の端部２１１に連結され、かつ弧形部２３１は一側面２３６へ曲がって弧形部２３１の他の一端に接続段２１と平行する嵌め塊２３２を構成し、嵌め塊２３２は前へ突き出して接続段２１と高さの段差を形成し、嵌め塊２３２の前端面２３３と二つの側辺２３４との隣接個所にはそれぞれ斜面を備えた斜面案内角２３７を構成する。また、固定片２３の二つの側辺２３４が隔てる幅（前記弧形部２３１及び嵌め塊２３２を含む）は接続段２１の二つの側辺２１２が隔てる幅より小さいので、固定片２３と接続段２１とは幅の段差を形成し、固定片２３は前記嵌め溝１３と互いに組み合わせられる構造を構成する。導電端子２の他の一端の溶接段２２は折り曲げられまたは他の形状に構成されてもよく、特に制限されない。また、導電端子２の選定された側辺２１２には絶縁本体１との固定脱落防止の構造となる突起２４を設けてもよい。
【０００７】
これにより、導電端子２を絶縁本体１の接続座１１の端子溝１２に植え込み、突起２４を両側溝壁に挿入して固定し、接続段２１は端子溝１２および支持面１２２と結合しているので、二つの支持面１２２及び溝壁によって安定した支持と覆い構造とを形成し、並びに接続段２１を端子溝１２より少々高くして接続個所とする。また固定片２３の嵌め塊２３２は前記高さの段差及び幅の段差構造によって、接続口端に近い嵌め溝１３内に嵌め込まれ（図７、図１０及び図１１に示す）、当て塊１４を用いて固定片２３の嵌め塊２３２を押し付けて導電端子２全体の反り曲げを防止し、並びに前記弧形部２３１を案内面としてケーブル端の別のコネクターをより容易に差し込めるようにする。また前記溶接段２２は絶縁本体１の底部に露出しているので、回路板（ＰＣＢ）等と組み付け溶接することができる。
遮蔽殻３は、中空の金属の殻であり（図１及び図３に示す）、絶縁本体１の外部に取り付けられる形状に構成され、接続口端３１には締め付け片３２が設けられ、接続口端３１の反対端には複数個の接続片３３が設けられる。これにより、具体的実施のニーズによって遮蔽殻３を組み付けるか否かを決定し、遮蔽殻３が絶縁本体１の外部に取り付けられれば、前記接続座１１の周囲は遮蔽される。
【０００８】
本実施例のコネクターの端子安定構造の改善では、導電端子２の固定片２３の嵌め塊２３２と端子溝１２の嵌め溝１３とを結合させ（図７及び図１１に示す）、それによって嵌め溝１３上側の当て塊１４は固定片２３の嵌め塊２３２を押し付けるので、このような組み付け構造の設計により、接続段２１が接続時に発生する反り上げまたは湾曲等の現象を防止し、並びに固定片２３の弧形部２３１を案内面としてケーブル端の別のコネクターをより容易に差し込めるようにし、導電端子２が損害することを避けられる。また前記突起２４が端子溝１２の溝壁に差し込み固定される構造に合わせて、導電端子２が離脱または緩んでしまうことを防止する機能が達成される。このように、本考案は従来のコネクターの組み付け構造の不良によって損害しやすい欠陥を改善し、コネクターの品質をより安定させる効果が達成され、それは特に現在の主流であるＵＳＢインタフェースまたはＨＤＭＩのコネクターに適用される。
【図面の簡単な説明】
【０００９】
【図１】本考案の一実施例におけるコネクターの端子安定構造の改善の分解斜視図である。
【図２】本考案の一実施例におけるコネクターの端子安定構造の改善の絶縁本体を示す斜視図である。
【図３】本考案の一実施例におけるコネクターの端子安定構造の改善のコネクターを示す斜視図である。
【図４】本考案の一実施例におけるコネクターの端子安定構造の改善の接続座の構造を示す斜視図である。
【図５】本考案の一実施例におけるコネクターの端子安定構造の改善の接続座を示す局部拡大図である。
【図６】本考案の一実施例におけるコネクターの端子安定構造の改善の接続座を示す拡大図である。
【図７】本考案の一実施例におけるコネクターの端子安定構造の改善の固定片と嵌め溝とが結合された状態を示す拡大図である。
【図８】本考案の一実施例におけるコネクターの端子安定構造の改善の単一導電端子を示す斜視図である。
【図９】本考案の一実施例におけるコネクターの端子安定構造の改善の導電端子の固定片を示す拡大図である。
【図１０】本考案の一実施例におけるコネクターの端子安定構造の改善を示す断面図である。
【図１１】本考案の一実施例におけるコネクターの端子安定構造の改善の固定片と嵌め溝とが結合した状態を示す拡大断面図である。
【図１２】従来のコネクターを示す斜視図である。
【図１３】従来のコネクターの導電端子が反り上がった状態を示す説明図である。
【符号の説明】
【００１０】
１:絶縁本体、１１：接続座、１２：端子溝、１２１：凹溝、１２２：支持面、１３：嵌め溝、１４：当て塊、２：導電端子、２１：接続段、２１１：端部、２１２：側辺、２２：溶接段、２３：固定片、２３１：弧形部、２３２：嵌め塊、２３３：前端面、２３４：側辺、２３５：弧面案内角、２３６：側面、２３７：斜面案内角、２４：突起、３：遮蔽殻、３１：接続口端、３２：締め付け片、３３：接続片
【図１】
0003133571.tif 000003
【図２】
0003133571.tif 000004
【図３】
0003133571.tif 000005
【図４】
0003133571.tif 000006
【図５】
0003133571.tif 000007
【図６】
0003133571.tif 000008
【図７】
0003133571.tif 000009
【図８】
0003133571.tif 000010
【図９】
0003133571.tif 000011
【図１０】
0003133571.tif 000012
【図１１】
0003133571.tif 000013
【図１２】
0003133571.tif 000014
【図１３】
0003133571.tif 000015
【手続補正書】
【提出日】平成19年3月30日(2007.3.30)
【手続補正１】
【補正対象書類名】実用新案登録請求の範囲
【補正対象項目名】請求項６
【補正方法】変更
【補正の内容】
【請求項６】
前記コネクターはＵＳＢ（Universal Serial Bus）インタフェース、またはＨＤＭＩ（登録商標）（High-Definition Multimedia Interface（登録商標））に応用されることを特徴とする請求項１に記載のコネクターの端子安定構造。
【手続補正２】
【補正対象書類名】明細書
【補正対象項目名】０００１
【補正方法】変更
【補正の内容】
【０００１】
本考案はコネクターの端子安定構造の改善に関するものであり、特にＨＤＭＩ（登録商標）またはＵＳＢ等の伝送インタフェースに応用されるコネクターの構造改善の設計に関するものである。
【手続補正３】
【補正対象書類名】明細書
【補正対象項目名】０００２
【補正方法】変更
【補正の内容】
【０００２】
従来のＵＳＢコネクターまたはＨＤＭＩ（登録商標）コネクターは、通常その絶縁性コネクター本体１０の連接端には接続座１０１が設けられ（図１２に示す）、接続座１０１の一面または二面には複数個の並列された端子溝１０２が設けられ、端子溝１０２はコネクター本体１０の底端まで貫き通る。これにより、各端子溝１０２の中には導電端子２０が植え込まれ、導電端子２０の接触端２０１の一部は端子溝１０２の上に露出され、溶接段はコネクター本体１０の底端に位置する。このように、別の互いに組み合わせられるコネクターが挿入接続されると、導電端子２０との接触を通じて電気的連結を形成することができる。
前記端子溝１０２及び導電端子２０の組み合せ構造は、接触端２０１を露出させて接続座１０１の表面より高くしているので、ケーブル（cable）端の別のコネクターが挿入されるとき、導電端子２０の接触端２０１に湾曲や変形が発生しやすく（図１３に示す）、または導電端子２０全体が押さえられて離脱し（一般に「ピンはずれ」と称す）、それによってコネクターの毀損へ導いてしまう。このことから分かるように、従来のコネクターの組み合せ構造の品質の安定性及び実用性を増やすためには、改善する必要がある。
【手続補正４】
【補正対象書類名】明細書
【補正対象項目名】０００４
【補正方法】変更
【補正の内容】
【０００４】
コネクターの端子安定構造の改善であり、それはＨＤＭＩ（登録商標）またはＵＳＢの伝送インタフェースに応用されるコネクターであり、その主要は絶縁本体及び複数個の導電端子から構成され、前記絶縁本体の選定端には最少一つの接続座が設けられ、接続座の一面または両面には複数個の端子溝が設けられ、各端子溝の接続口端に接近する溝端壁には嵌め溝が設けられ、他に導電端子の接続段の端部には固定片が設けられており、これによって導電端子を接続座の端子溝に組み付ければ、固定片は嵌め溝の中に挿入され、導電端子が安定して組み付けられる機能が達成される。
【手続補正５】
【補正対象書類名】明細書
【補正対象項目名】０００８
【補正方法】変更
【補正の内容】
【０００８】
本実施例のコネクターの端子安定構造の改善では、導電端子２の固定片２３の嵌め塊２３２と端子溝１２の嵌め溝１３とを結合させ（図７及び図１１に示す）、それによって嵌め溝１３上側の当て塊１４は固定片２３の嵌め塊２３２を押し付けるので、このような組み付け構造の設計により、接続段２１が接続時に発生する反り上げまたは湾曲等の現象を防止し、並びに固定片２３の弧形部２３１を案内面としてケーブル端の別のコネクターをより容易に差し込めるようにし、導電端子２が損害することを避けられる。また前記突起２４が端子溝１２の溝壁に差し込み固定される構造に合わせて、導電端子２が離脱または緩んでしまうことを防止する機能が達成される。このように、本考案は従来のコネクターの組み付け構造の不良によって損害しやすい欠陥を改善し、コネクターの品質をより安定させる効果が達成され、それは特に現在の主流であるＵＳＢインタフェースまたはＨＤＭＩ（登録商標）のコネクターに適用される。